(57)【要約】【課題】生体の特定後の再撮影を不要とし、健康度の診断支援を確実に行う。診断用とは別に生体の特定のための特殊な装置を不要として、低コストで容易に生体の特定を行う。【解決手段】器官画像撮影装置１は、撮像部３と、特徴量抽出部１３と、記憶部６と、生体特定部１５とを備える。撮像部３は、生体の器官を撮影して、健康度の診断に用いる診断用画像を取得する。特徴量抽出部１３は、上記診断用画像から、健康度の診断項目についての情報を特徴量として抽出する。記憶部６は、個々の生体について予め取得した診断項目についての情報を、識別情報として記憶する。生体特定部１５は、特徴量抽出部１３によって抽出された特徴量と、記憶部６に記憶されている識別情報とに基づいて、撮像部３にて撮影された生体を特定する。【選択図】図２
2016198140.tif 000002
【特許請求の範囲】
【請求項１】
生体の器官を撮影して、健康度の診断に用いる診断用画像を取得する撮像部と、
前記診断用画像から、健康度の診断項目についての情報を特徴量として抽出する特徴量抽出部とを備え、抽出した前記特徴量に基づく健康度の診断を支援する器官画像撮影装置であって、
個々の生体について予め取得した前記診断項目についての情報を、識別情報として記憶する記憶部と、
前記特徴量抽出部によって抽出された前記特徴量と、前記記憶部に記憶されている前記識別情報とに基づいて、前記撮像部にて撮影された生体を特定する生体特定部とを備えていることを特徴とする器官画像撮影装置。
【請求項２】
前記識別情報は、予め、前記撮像部によって個々の生体の器官を撮影して取得された識別用画像から、前記特徴量抽出部によって抽出された前記診断項目についての情報であることを特徴とする請求項１に記載の器官画像撮影装置。
【請求項３】
前記生体特定部は、複数の前記診断項目について、前記特徴量抽出部によって抽出された複数の前記特徴量と、同じ複数の診断項目について、前記記憶部に記憶されている複数の前記識別情報とに基づいて、前記撮像部にて撮影された生体を特定することを特徴とする請求項１または２に記載の器官画像撮影装置。
【請求項４】
前記診断項目の数をｎとし、ｎを１以上の整数としたとき、
前記生体特定部は、ｎ次元空間において、前記診断項目についてのｎ個の前記特徴量に応じて決まる第１の点と、前記診断項目についてのｎ個の前記識別情報に応じて決まる第２の点とのユークリッド距離が閾値以下で、かつ、最小となるような、前記第２の点を検出し、検出した前記第２の点に対応する生体と、前記撮像部にて撮影された生体とが一致すると判断することを特徴とする請求項１から３のいずれかに記載の器官画像撮影装置。
【請求項５】
前記生体特定部は、複数の前記診断項目について、前記特徴量抽出部によって抽出された複数の前記特徴量と、同じ複数の診断項目について、前記記憶部に記憶されている複数の前記識別情報と、複数の前記特徴量の各診断項目間での相関とに基づいて、前記撮像部にて撮影された生体を特定することを特徴とする請求項１または２に記載の器官画像撮影装置。
【請求項６】
前記診断項目の数をｎとし、ｎを２以上の整数としたとき、
前記生体特定部は、ｎ次元空間において、複数の前記診断項目についてのｎ個の前記特徴量に応じて決まる点の原点からの距離を示す第１のマハラノビス距離を算出するとともに、複数の前記診断項目についてのｎ個の前記識別情報に応じて決まる点の原点からの距離を示す第２のマハラノビス距離を、前記記憶部に記憶された個々の生体について算出し、前記第２のマハラノビス距離が前記第１のマハラノビス距離に最も近くなるような前記識別情報に対応する生体と、前記撮像部にて撮影された生体とが一致すると判断することを特徴とする請求項５に記載の器官画像撮影装置。
【請求項７】
前記器官は、舌であることを特徴とする請求項１から６のいずれかに記載の器官画像撮影装置。
【請求項８】
前記診断項目は、舌の色、舌の形状、苔の色、苔の形状の少なくともいずれかに関する項目を含むことを特徴とする請求項７に記載の器官画像撮影装置。
【請求項９】
前記診断項目は、舌の厚さ、歯痕、苔の厚さ、苔の地図状分布の少なくともいずれかを含むことを特徴とする請求項８に記載の器官画像撮影装置。
【請求項１０】
前記特徴量抽出部が抽出した前記特徴量に基づいて、生体の健康度を判定する判定部をさらに備えていることを特徴とする請求項１から９のいずれかに記載の器官画像撮影装置。
【発明の詳細な説明】
【技術分野】
【０００１】
本発明は、生体の器官を撮影して、健康度の診断に必要な情報を抽出し、抽出した情報に基づく診断を支援する器官画像撮影装置に関するものである。
【背景技術】
【０００２】
生体画像を用いた診断は、医学の分野で広く用いられている。上記診断は、顔や手足などの体の表面の皮膚の診断だけでなく、唇や瞼などの膜状組織の診断、胃や腸などの消化器官や体内器官に対するＸ線や超音波を用いた診断の基本となっている。
【０００３】
東洋医学においては、顔や舌の状態を観察することにより、健康状態や病状を診断する診断手法（望診、舌診）が知られている。舌診では、舌の色や形、苔の色や形に関する情報を元に体調や健康度を診断している。舌や苔の診断項目には、舌の色、舌の厚さ、苔の色、苔の厚さなどがある。
【０００４】
ところで、近年では、医療技術の発展により、感染症などの外部要因による死亡は減少している。一方で、三大疾病と言われるガン、心筋梗塞、脳卒中などによる死亡が増加している。これらの疾病には、食事、運動、休養の取り方、喫煙、飲酒など、生活習慣が関与していると言われている。
【０００５】
生活習慣を改善し、健康寿命を延ばす取り組みとして、予防医学が注目されている。健康寿命を延ばすためには、日々の健康度の変化を測定して、疾病の早期発見や早期治療を実現することが求められる。
【０００６】
このような予防医学に関して、東洋医学には、未病と言う概念がある。病気と健康とは一線で区切ることはできず、病気には前段階がある。この半病気・半健康の状態が未病である。未病の段階で半病気を発見、治療し、病気の発症を防ぐのが東洋医学の手法である。この東洋医学の診断技術を活用することにより、疾病の早期発見が可能となると考えられる。また、この東洋医学の診断技術を自動化することにより、健康度の測定が可能となり、オフィスや家庭、個人レベルでも、健康度を簡易に、かつ、定期的に測定することができる。
【０００７】
ところで、医療現場では、診断のために必要な画像撮影は、医師ではなく、専門の技師や看護師が行っている。しかも、上記の画像撮影は、診察室ではなく、別室で行うことが多い。このため、撮影した画像の管理、上記画像と問診結果や血液検査結果などの他の診断情報との照合に手間がかかる。現在は、撮影番号をカルテに転記して、事後に人手を介してコンピュータに入力するなどの対応を採っている。
【０００８】
医療現場だけではなく、オフィスや家庭、個人レベルで健康度を簡易に診断することを支援する用途においても、オフィスの部屋や家庭の洗面台など、複数の人が利用する場所で撮影画像を取得して診断を行う場合、撮影画像と撮影対象者との照合が必要となる。また、スマートフォンなどの携帯端末を用いて健康度を測定する場合において、複数の対象者が健康度を測定する場合には、各対象者の識別が必要になる。
【０００９】
ここで、画像を用いて個人を識別する、いわゆる個人認証を行う技術として、例えば特許文献１〜７に開示された技術がある。特許文献１では、顔の目や鼻、手や足などの各部位を撮影して個人認証を行っている。特許文献２では、顔の表情を判定して個人認証を行っている。特許文献３では、顔と指紋との両方を用いて個人認証を行っている。特許文献４では、指の静脈パターンを撮影して個人認証を行っている。特許文献５では、瞳の虹彩および声紋により個人認証を行っている。特許文献６では、頭蓋骨の透視画像を撮影して個人認証を行っている。特許文献７では、眼底血管を撮影して個人認証を行っている。
【先行技術文献】
【特許文献】
【００１０】
【特許文献１】特開２００２−２８８６７１号公報（請求項１、段落〔０００７〕、〔００１５〕、図１等参照）
【特許文献２】特開２０１０−２７０３５号公報（請求項１、段落〔０００７〕、図７等参照）
【特許文献３】特開２００４−６２８４６号公報（請求項１、段落〔０００６〕、〔００１５〕等参照）
【特許文献４】特開２００４−２７２８２１号公報（請求項１、図１等参照）
【特許文献５】特開２００５−１８２１５９号公報（請求項１、段落〔００２０〕、図３、図４等参照）
【特許文献６】特開２００４−２６５３５３号公報（請求項１、段落〔００１９〕、〔００４７〕等参照）
【特許文献７】特開２００９−２５１９２４号公報（請求項１、段落〔００１４〕〜〔００１６〕、図１等参照）
【発明の概要】
【発明が解決しようとする課題】
【００１１】
ところが、上記した特許文献１〜７の技術は、いずれも個人認証だけを行う技術である。このような技術を、健康度の診断支援用途に適用すると、顔、指紋、指の静脈パターンなどの認証用の画像を取得して個人認証を行った後に、診断用の画像（例えば舌画像に基づく診断では、その舌画像）を別途取得する必要がある。このため、対象者は、個人認証が終わっても、診断用の画像の取得のための撮影に再度応じなければならない。このような再撮影は、対象者に煩わしさをもたらす要因となり、個人で簡単に健康度を測定することを支援する本来の目的が損なわれるおそれがある。また、眼底血管を撮影して個人認証を行う場合、眼底カメラなどの特殊な撮像装置が必要で、コストと手間もかかる。なお、人間以外の動物等を診断および認証（生体特定）の対象とする場合でも、動物等の管理者に対して再撮影による煩わしさを与えかねず、健康度の診断支援が損なわれる可能性がある。
【００１２】
本発明は、上記の問題点を解決するためになされたもので、その目的は、生体の特定後の再撮影を不要として、再撮影による煩わしさを排除し、これによって、健康度の診断支援を確実に行うことができるとともに、診断用とは別に生体の特定のための特殊な装置を不要として、低コストで容易に生体の特定を行うことができる器官画像撮影装置を提供することにある。
【課題を解決するための手段】
【００１３】
本発明の一側面に係る器官画像撮影装置は、生体の器官を撮影して、健康度の診断に用いる診断用画像を取得する撮像部と、前記診断用画像から、健康度の診断項目についての情報を特徴量として抽出する特徴量抽出部とを備え、抽出した前記特徴量に基づく健康度の診断を支援する器官画像撮影装置であって、個々の生体について予め取得した前記診断項目についての情報を、識別情報として記憶する記憶部と、前記特徴量抽出部によって抽出された前記特徴量と、前記記憶部に記憶されている前記識別情報とに基づいて、前記撮像部にて撮影された生体を特定する生体特定部とを備えている。
【００１４】
上記の構成によれば、特徴量抽出部により、撮像部にて取得された診断用画像から、健康度の診断項目（例えば舌の色）についての情報（例えばＲ比率）が特徴量として抽出される。これにより、当該装置または外部の装置にて、抽出された特徴量に基づく診断が可能となり、そのような診断の支援が可能となる。
【００１５】
また、生体特定部は、特徴量抽出部によって抽出された上記の特徴量と、記憶部に記憶されている識別情報とに基づいて、撮像部にて撮影された生体を特定する。このように、健康度の診断に用いる特徴量を、生体の特定用の情報としても用いるため、撮像部にて診断用画像を１回取得すれば、その診断用画像から特徴量を抽出して、生体の特定と、健康度の診断とを行うことができる。したがって、生体の特定と健康度の診断とで、別々の画像を取得する必要がなく、生体の特定後に、診断のための画像取得（撮像部による再撮影）を行う必要がなくなる。その結果、対象者（生体そのもの）や生体の管理者に対して、生体特定後の再撮影による煩わしさを与えることは全くなく、健康度の診断支援を確実に行うことができる。
【００１６】
また、健康度の診断と生体の特定とは、同じ診断用画像から抽出される特徴量を用いて行われるため、画像を取得する撮像部は、診断用画像の取得用として１個設けるだけで済み、診断用とは別に生体特定専用の特殊な撮像装置を設ける必要はなくなる。これにより、低コストで容易に生体の特定を行うことができる。
【００１７】
前記識別情報は、予め、前記撮像部によって個々の生体の器官を撮影して取得された識別用画像から、前記特徴量抽出部によって抽出された前記診断項目についての情報であってもよい。この場合、外部の装置から通信等によって識別情報を取得する必要がなく、生体の特定の処理を迅速に行うことができる。
【００１８】
前記生体特定部は、複数の前記診断項目について、前記特徴量抽出部によって抽出された複数の前記特徴量と、同じ複数の診断項目について、前記記憶部に記憶されている複数の前記識別情報とに基づいて、前記撮像部にて撮影された生体を特定してもよい。この場合、１個の特徴量と１個の識別情報とに基づいて生体を特定する場合に比べて、生体の特定の精度（識別精度）が向上する。
【００１９】
前記診断項目の数をｎとし、ｎを１以上の整数としたとき、前記生体特定部は、ｎ次元空間において、前記診断項目についてのｎ個の前記特徴量に応じて決まる第１の点と、前記診断項目についてのｎ個の前記識別情報に応じて決まる第２の点とのユークリッド距離が閾値以下で、かつ、最小となるような、前記第２の点を検出し、検出した前記第２の点に対応する生体と、前記撮像部にて撮影された生体とが一致すると判断してもよい。このような判断により、撮像部にて撮影された生体を確実に特定することができる。
【００２０】
前記生体特定部は、複数の前記診断項目について、前記特徴量抽出部によって抽出された複数の前記特徴量と、同じ複数の診断項目について、前記記憶部に記憶されている複数の前記識別情報と、複数の前記特徴量の各診断項目間での相関とに基づいて、前記撮像部にて撮影された生体を特定してもよい。この場合、１個の特徴量と１個の識別情報とに基づいて生体を特定する場合に比べて、生体の特定の精度が向上する。さらに、複数の特徴量の各診断項目間での相関も考慮されるため、生体の特定の精度がさらに向上する。
【００２１】
前記診断項目の数をｎとし、ｎを２以上の整数としたとき、前記生体特定部は、ｎ次元空間において、複数の前記診断項目についてのｎ個の前記特徴量に応じて決まる点の原点からの距離を示す第１のマハラノビス距離を算出するとともに、複数の前記診断項目についてのｎ個の前記識別情報に応じて決まる点の原点からの距離を示す第２のマハラノビス距離を、前記記憶部に記憶された個々の生体について算出し、前記第２のマハラノビス距離が前記第１のマハラノビス距離に最も近くなるような前記識別情報に対応する生体と、前記撮像部にて撮影された生体とが一致すると判断してもよい。このような判断により、撮像部にて撮影された生体を確実に特定することができる。
【００２２】
前記器官は、舌であってもよい。生体の撮影対象となる器官が舌である場合において、上述の効果を得ることができる。
【００２３】
前記診断項目は、舌の色、舌の形状、苔の色、苔の形状の少なくともいずれかに関する項目を含んでいてもよい。これらの診断項目についての情報を特徴量として用いて、生体を特定することができる。
【００２４】
前記診断項目は、舌の厚さ、歯痕、苔の厚さ、苔の地図状分布の少なくともいずれかを含んでいてもよい。これらの診断項目についての情報は、生体間での個人差が大きく、日常の変化も少ない。このため、上記情報を特徴量として用いることにより、生体の特定の精度を向上させることができる。
【００２５】
該器官画像撮影装置は、前記特徴量抽出部が抽出した前記特徴量に基づいて、生体の健康度を判定する判定部をさらに備えていてもよい。当該装置が判定部を備えているので、当該装置にて生体の健康度を判定する構成において、上述の効果を得ることができる。
【発明の効果】
【００２６】
上記の構成によれば、生体の特定後の撮像部による再撮影を不要として、再撮影による煩わしさを排除し、健康度の診断支援を確実に行うことができるとともに、診断用とは別に生体の特定のための特殊な装置を不要として、低コストで容易に生体の特定を行うことができる。
【図面の簡単な説明】
【００２７】
【図１】本発明の実施の一形態に係る器官画像撮影装置の外観を示す斜視図である。
【図２】上記器官画像撮影装置の概略の構成を示すブロック図である。
【図３】撮影対象に対する照明部と撮像部との位置関係を示す説明図である。
【図４】舌の撮影画像およびエッジ抽出フィルタの一例と、上記フィルタを用いて抽出された舌の輪郭線とを示す説明図である。
【図５】舌と苔に関する代表的な診断項目を示す説明図である。
【図６】舌の撮影画像と各診断領域とを併せて示す説明図である。
【図７】舌の中央領域におけるＧの度数分布を、苔の地図状分布がない場合と、地図状分布がある場合とでそれぞれ示すグラフである。
【図８】舌の輪郭線と近似曲線とを示すグラフである。
【図９】舌の撮影画像と舌の断面形状とを併せて示す説明図である。
【図１０】舌の輪郭線と湿り気の検出領域とを併せて示す説明図である。
【図１１】舌の分光分布を示すグラフである。
【図１２】上記検出領域から抽出したＢの画像データの度数分布を模式的に示すグラフである。
【図１３】表面に亀裂がある舌の撮影画像を示す説明図である。
【図１４】舌表面に亀裂がない場合と亀裂がある場合とのそれぞれにおける、Ｂの画像データの度数分布を模式的に示すグラフである。
【図１５】舌が薄い場合と厚い場合とにおいて、舌表面の上下方向のほぼ中心を通る水平方向における撮影画像のＲＧＢの画像データの分布を示す説明図である。
【図１６】事前登録者および認証対象者の診断項目についての情報を２次元座標上にプロットした説明図である。
【図１７】変数が２つで、両者に正の相関がある場合の距離の分布を示す説明図である。
【図１８】識別情報の事前登録時の処理の流れを示すフローチャートである。
【図１９】表示部に表示される枠線の一例を示す説明図である。
【図２０】個人認証および診断の流れを示すフローチャートである。
【発明を実施するための形態】
【００２８】
本発明の実施の一形態について、図面に基づいて説明すれば、以下の通りである。なお、本明細書において、数値範囲をＡ〜Ｂと表記した場合、その数値範囲に下限Ａおよび上限Ｂの値は含まれるものとする。
【００２９】
〔１．器官画像撮影装置の概略構成〕
図１は、本実施形態の器官画像撮影装置１の外観を示す斜視図であり、図２は、器官画像撮影装置１の概略の構成を示すブロック図である。器官画像撮影装置１は、照明部２、撮像部３、表示部４、操作部５、記憶部６、通信部７および音声出力部８を備えている。照明部２は筐体２１に設けられており、撮像部３、表示部４、操作部５、記憶部６、通信部７および音声出力部８は、筐体２２に設けられている。筐体２１と筐体２２とは別体で構成されているが、一体化されていてもよい。
【００３０】
（照明部）
照明部２は、撮影対象である生体の器官（ここでは舌）を照明するものであり、撮影対象を上方より照明する照明器で構成されている。照明部２の光源としては、色再現性を向上させるために、例えばキセノンランプなどの昼光色を発光するものを用いている。光源の明るさは、撮像部３の感度や撮影対象までの距離に応じて、照明制御部９によって制御される。例えば、撮影対象の照度が１０００〜１００００ｌｘとなるように光源の明るさが制御される。照明部２は、上記の光源の他に、点灯回路や調光回路を有しており、照明制御部９からの指令によって点灯／消灯および調光が制御される。
【００３１】
（撮像部）
撮像部３は、照明部２による照明下で、生体の器官（例えば舌）を撮影して、健康度の診断に用いる画像（診断用画像）を取得するものである。この撮像部３は、撮像レンズ３１と、エリアセンサ３２とを有している（図３参照）。撮像レンズ３１の絞り（レンズの明るさ）、シャッター速度、焦点距離は、撮影対象の全ての範囲に焦点が合うように設定されている。一例としては、Ｆナンバー：１６、シャッター速度：１／１２０秒、焦点距離：２０ｍｍである。
【００３２】
エリアセンサ３２は、例えばＣＣＤ（Charge Coupled Device）やＣＭＯＳ（Complementary Metal Oxide Semiconductor）のような撮像素子で構成されており、撮影対象の色および形状を十分に検出できるように、感度や解像度などが設定されている。一例としては、感度：６０ｄｂ、解像度：１０００万画素である。
【００３３】
撮像部３による撮影は、撮像制御部１０によって制御されている。また、撮像部３は、撮像レンズ３１やエリアセンサ３２の他にも、不図示のフォーカス機構、絞り機構、駆動回路およびＡ／Ｄ変換回路などを有しており、撮像制御部１０からの指令により、フォーカスや絞りの制御、Ａ／Ｄ変換などが制御される。撮像部３では、撮影画像のデータとして、赤（Ｒ）、緑（Ｇ）、青（Ｂ）のそれぞれについて、例えば８ビットで０〜２５５のデータが取得される。すなわち、撮像部３では、異なる色（ＲＧＢ）のそれぞれについて、撮影対象を撮影した画像が取得され、これによって、各色の画像データが取得される。また、撮像部３の撮像レンズ３１の倍率は、必要な画像の解像度が得られるように、撮像制御部１０によって制御される。
【００３４】
図３は、撮影対象（舌や顔）に対する照明部２と撮像部３との位置関係を示す説明図である。同図に示すように、少なくとも撮像レンズ３１とエリアセンサ３２とを有する撮像部３は、撮影対象に正対して配置されている。照明部２は、撮影対象を通る撮像部３の撮影光軸Ｘに対して、例えば０°〜４５°の照明角度ａで撮影対象を照明するように配置されている。なお、撮影光軸Ｘとは、撮像部３が有する撮像レンズ３１の光軸を指す。
【００３５】
照明時の照明角度ａが大きいと、表面の凹凸の計測精度が向上するが、上唇の影により、舌を撮影できる範囲が小さくなる。逆に、照明角度ａが小さいと、撮影範囲は拡大されるが、計測精度が低下したり、照明光の正反射による色とびが大きくなる。以上のことを考慮すると、照明角度ａの好ましい範囲は、１５°〜３０°である。特に、診断部位が生体の舌などの器官である場合、望ましい照明角度ａは約３０°である。
【００３６】
（表示部）
表示部４は、不図示の液晶パネル、バックライト、点灯回路および制御回路を有しており、撮像部３での撮影によって取得される画像と、枠線Ｐ（図１９参照）とを表示する。枠線Ｐは、撮像部３による撮影時の器官（ここでは舌）の撮影位置を規定するための画枠である。枠線Ｐを表示部４に表示させることにより、舌の撮影時に枠線Ｐによって舌の撮影位置を案内することができる。
【００３７】
また、表示部４は、後述する個人認証（生体特定）の判定結果や、通信部７を介して外部から取得した情報（例えば外部の医療機関に情報を送信して診断された結果）を表示することもできる。表示部４における各種の情報の表示は、表示制御部１１によって制御されている。
【００３８】
なお、撮像部３での撮影によって取得された撮影対象の画像は、間引き処理や色補正処理などの画像処理が画像処理部（図示せず）によって施された後に、表示部４に表示されてもよい。以下での説明において、単に「（撮影）画像」と表現した場合は、特に断らない限り、撮像部３での撮影によって取得されて、表示に必要な上記の画像処理が施される前の画像を指すものとする。
【００３９】
（操作部）
操作部５は、撮像部３による撮影を指示するための入力部であり、ＯＫボタン（撮影実行ボタン）５ａおよびＣＡＮＣＥＬボタン５ｂで構成されている。本実施形態では、表示部４および操作部５を、共通のタッチパネル表示装置２３（図１参照）で構成している。タッチパネル表示装置２３における操作部５の表示は、操作制御部１２によって制御される。なお、操作部５は、タッチパネル表示装置２３以外の入力部で構成されてもよい（タッチパネル表示装置２３の表示領域外の位置に操作部５を設けてもよい）。
【００４０】
（記憶部）
記憶部６は、個々の生体について予め取得した、健康度の少なくとも１個の診断項目についての情報を、識別情報として記憶するメモリである。例えば、舌の診断項目には、後述するように、舌の色、舌の厚さ、苔の色、苔の厚さなどがある。記憶部６には、個々の生体ごとに予め得られたこれらの診断項目についての情報が記憶される。例えば、生体Ａについては、舌の色が淡紅色を示す情報、舌の厚さが厚いことを示す情報、苔の色が淡白であることを示す情報、苔の厚さが薄いことを示す情報などが、生体Ａの識別情報として記憶される。同様に、生体Ｂ、生体Ｃ、・・・についても、舌の色等についての情報が個々の生体の識別情報として記憶される。
【００４１】
上記の識別情報は、健康度の診断を行う前に、予め、撮像部３によって個々の生体の器官を撮影して識別用画像を取得して、その識別用画像から、後述する特徴量抽出部１３によって抽出された情報であってもよい。また、上記の識別情報は、外部の装置で取得され、その外部の装置から有線または無線で送信された情報であってもよい。
【００４２】
また、記憶部６は、撮像部３にて取得した画像のデータ、特徴量抽出部１３、生体特定部１５および判定部１６で取得した情報、外部の装置から送信された情報（例えば外部機関での診断結果）などを記憶したり、後述する各種の制御部を動作させるためのプログラムも記憶する。このような記憶部６は、ＲＡＭ、ＲＯＭ、不揮発性メモリなどを含んで構成することが可能である。記憶部６に対する情報の記憶および抽出は、記憶制御部１４によって制御される。
【００４３】
（通信部）
通信部７は、当該装置にて得られた情報（例えば診断項目についての情報）を、外部の装置に送信したり、逆に外部の装置から送信される情報を受信するためのインターフェースである。通信部７における情報の送受信は、通信制御部１７によって制御されている。
【００４４】
（音声出力部）
音声出力部８は、各種の情報を音声で出力するものであり、例えばスピーカーで構成される。音声出力部８は、生体特定部１５による判定結果や、特徴量抽出部１３にて抽出された情報に基づく診断結果などを音声出力することができる。上記の診断結果は、当該装置で得られるものであってもよいし、外部機関で診断されて当該装置に送信されるものであってもよい。音声出力部８における音声出力は、音声出力制御部１８によって制御される。
【００４５】
本実施形態の器官画像撮影装置１は、上記の他にも、特徴量抽出部１３、生体特性部１５および判定部１６を備えている。
【００４６】
（特徴量抽出部）
特徴量抽出部１３は、撮像部３にて取得された画像から、舌の輪郭線を抽出する処理を行う画像処理部である。本実施形態では、特徴量抽出部１３は、撮影画像の輝度エッジ（画像の中で急激に明るさが変化している部分）に基づいて、口腔領域の輪郭線を抽出する。
【００４７】
輝度エッジの抽出は、例えば図４に示すようなエッジ抽出フィルタを用いて行うことができる。エッジ抽出フィルタは、１次微分をするときに（隣接画素間で画像データの差分をとるときに）、注目画素の近傍の画素に重みを付けるフィルタである。このようなエッジ抽出フィルタを用い、例えば、撮影画像の各画素のＲの画像データについて、注目画素と近傍画素とで画像データの差分を取り、その差分値が所定の閾値を超える画素を抽出することで、輝度エッジとなる画素を抽出できる。唇内側の口腔領域には、唇の影や歯に起因する輝度差が存在するため、上記のように輝度エッジとなる画素を抽出することにより、口腔領域の輪郭線Ｑを抽出することができる。
【００４８】
なお、特徴量抽出部１３は、輝度エッジの代わりに、画像の距離情報を用いて輪郭線を抽出してもよい。唇は撮像部３に最も近い位置にあるため、距離情報を用いることにより、口腔内との境界を検出することができる。
【００４９】
また、特徴量抽出部１３は、撮像部３での撮影によって取得された器官の診断用画像から、健康度の少なくとも１個の診断項目についての情報を特徴量として抽出する。これにより、抽出された上記特徴量に基づいて、（当該装置または外部の装置にて）生体の健康度を診断することができる。このことから、当該装置は、上記特徴量に基づく健康度の診断を支援する装置として機能していると言える。
【００５０】
ここで、図５は、東洋医学において、舌と苔に関する代表的な診断項目を示している。一般的に、舌については、舌の色、舌の厚さ、舌表面の湿り気（光沢度）、舌の形（歯痕）、裂紋（舌表面の亀裂）の５項目が診断項目として挙げられる。また、苔については、苔の色、苔の滑らかさ（乳頭組織の分離度）、苔の厚さ、苔の有無、苔の地図状分布（分布ムラの有無）の５項目が診断項目として挙げられる。図５の「状態の変化」において、○印は、正常（健康）な状態を示しており、そこから離れると、異常（病気）の状態となる。
【００５１】
これらの１０個の診断項目は、舌の形状、苔の形状、舌の色、苔の色に関する診断項目に分類することもできる。舌の形状に関する診断項目は、舌の厚さ、歯痕、裂紋である。苔の形状に関する診断項目は、苔の滑らかさ、苔の厚さ、苔の有無、苔の地図状分布である。舌の色に関する診断項目は、舌の色そのもの、舌の湿り気であり、苔の色に関する診断項目は、苔の色そのものである。
【００５２】
例えば、診断項目が舌の色である場合、その特徴量としては、Ｒ比率やＢ比率を考えることができるが、個々の診断項目ごとの特徴量の詳細については後述する。
【００５３】
また、特徴量抽出部１３は、健康度の診断前に、個々の生体の識別情報を記憶部６に記憶させる事前登録において、撮像部３によって個々の生体の器官を撮影して取得される識別用画像から、少なくとも１個の診断項目についての上記識別情報を抽出する。上記識別情報は、図５で示した診断項目についての特徴量と同じ情報とすることができる。
【００５４】
（生体特定部）
生体特定部１５は、特徴量抽出部１３にて抽出された特徴量と、記憶部６に記憶されている、上記特徴量と同じ診断項目についての識別情報とに基づいて、撮像部３にて撮影された生体を特定する。例えば、特徴量抽出部１３にて抽出された特徴量が舌の色についての情報である場合、生体特定部１５は、抽出された舌の色についての上記特徴量と、記憶部６に記憶されている、舌の色についての識別情報とに基づいて、生体を特定する。なお、生体の具体的な特定方法については後述する。
【００５５】
（判定部）
判定部１６は、特徴量抽出部１３が抽出した特徴量に基づいて、生体の健康度を判定する。例えば、判定部１６は、舌の色について、特徴量抽出部１３が抽出した特徴量を複数のレベルに分類し、その結果、「淡紅色」のレベルであったとすると、舌の色は正常な色であり、健康であると判定する。この判定結果は、表示部４に表示されたり、外部の装置に送信されたり、必要に応じて記憶部６に記憶される。なお、判定部１６は、特徴量抽出部１３と一体的に構成されてもよい（判定部１６が特徴量抽出部１３を兼ねていてもよい）。
【００５６】
（制御部等）
器官画像撮影装置１は、照明制御部９、撮像制御部１０、表示制御部１１、操作制御部１２、特徴量抽出部１３、記憶制御部１４、生体特定部１５、判定部１６、通信制御部１７、音声出力制御部１８を制御する全体制御部２０をさらに備えている。照明制御部９、撮像制御部１０、表示制御部１１、操作制御部１２、記憶制御部１４、通信制御部１７および音声出力制御部１８は、上述したように、照明部２、撮像部３、表示部４、操作部５、記憶部６、通信部７および音声出力部８をそれぞれ制御する。全体制御部２０は、例えばＣＰＵ（Central Processing Unit）で構成されており、記憶部６に記憶されている動作プログラムを実行する。なお、照明制御部９、撮像制御部１０、表示制御部１１、操作制御部１２、記憶制御部１４、通信制御部１７および音声出力制御部１８と、全体制御部２０とは、一体的に（例えば１つのＣＰＵで）構成されてもよい。
【００５７】
〔２．特徴量の抽出方法〕
次に、特徴量抽出部１３による診断用画像からの特徴量の抽出の詳細について説明する。なお、識別用画像からの識別情報の抽出についても、特徴量の抽出と同じ方法を採用できる。このため、以下では、特徴量の抽出方法について説明し、識別情報の抽出方法についての説明を省略する。
【００５８】
（舌の色について）
図６は、舌の撮影画像を示している。以下では、舌の撮影画像において、舌の左右方向の中央で上下方向に帯状に形成される領域を上下方向に並ぶ３つの領域に分けたときに、それぞれの領域を、上部領域Ｒ１、中央領域Ｒ２、下部領域Ｒ３と称することとする。なお、これらの領域は、特徴量抽出部１３で検出される舌の輪郭線Ｑで囲まれる領域の左右方向の幅Ｗ、上下方向の長さＨをもとに、図６に示すサイズで規定されるが、図示したサイズは一例であり、これに限定されるわけではない。
【００５９】
舌の色は、血液の色を反映するため、ＲＧＢの画像データのうちで、主にＲ成分またはＢ成分が増減する。このため、舌の下部領域Ｒ３におけるＲの比率（Ｒ／（Ｒ＋Ｇ＋Ｂ））またはＢの比率（Ｂ／（Ｒ＋Ｇ＋Ｂ））を求めることにより、舌の色についての情報を定量化し、抽出することができる。すなわち、上記のＲ比率またはＢ比率が、舌の色についての情報を示す特徴量となる。なお、上記のＲＧＢのデータとしては、下部領域Ｒ３を構成する複数の画素間でのＲの画像データの平均値、Ｇの画像データの平均値、Ｂの画像データの平均値を用いることができる。
【００６０】
なお、上記特徴量の抽出の際に、舌の下部領域Ｒ３の画像データを使用しているのは、以下の理由による。すなわち、漢方医学で用いられている舌診では、舌の色は、一般に、苔の無い舌の左右端部か、舌の中心下部で診断されているが、舌の左右端部は、表面の凹凸により照明光の当たり方が変化して濃淡が発生しやすく、画像データが本来の舌の色を示す値から変動しやすいためである。
【００６１】
（苔の色について）
苔の色は、角化組織の分量により、白から茶色を呈するため、ＲＧＢの画像データのうちで、主にＧ成分または（Ｇ＋Ｒ）成分が増減する。このため、舌の上部領域Ｒ１におけるＧの比率（Ｇ／（Ｒ＋Ｇ＋Ｂ））または（Ｇ＋Ｒ）の比率（（Ｇ＋Ｒ）／（Ｒ＋Ｇ＋Ｂ））を求めることにより、苔の色についての情報を定量化し、抽出することができる。すなわち、上記のＧ比率または（Ｇ＋Ｒ）比率が、苔の色についての情報を示す特徴量となる。なお、上記のＲＧＢのデータとしては、上部領域Ｒ１を構成する複数の画素間でのＲの画像データの平均値、Ｇの画像データの平均値、Ｂの画像データの平均値を用いることができる。
【００６２】
なお、上記特徴量の抽出の際に、舌の上部領域Ｒ１の画像データを使用しているのは、苔は、舌粘膜の乳頭組織が角化したものであり、舌の上部から中央にかけて存在し、特に上部に多いためである。
【００６３】
（苔の厚さについて）
苔は、厚くなると舌の赤色から苔の白色に変化するため、ＲＧＢの画像データのうちで、主にＲ成分またはＧ成分が増減する。このため、舌の中央領域Ｒ２におけるＲの比率（Ｒ／（Ｒ＋Ｇ＋Ｂ））またはＧの比率（Ｇ／（Ｒ＋Ｇ＋Ｂ））を求めることにより、苔の厚さについての情報を定量化し、抽出することができる。すなわち、上記のＲ比率またはＧ比率が、苔の厚さについての情報を示す特徴量となる。なお、上記のＲＧＢのデータとしては、中央領域Ｒ２を構成する複数の画素間でのＲの画像データの平均値、Ｇの画像データの平均値、Ｂの画像データの平均値を用いることができる。
【００６４】
なお、上記特徴量の抽出の際に、舌の中央領域Ｒ２の画像データを使用しているのは、苔は上述のように舌の上部に存在し、中央領域Ｒ２の色が上部領域Ｒ１の色に近いか否かで、苔の厚さを判断できるためである。なお、舌の上部領域Ｒ１と中央領域Ｒ２との色の差（例えば色度差）と、中央領域Ｒ２と下部領域Ｒ３との色の差（例えば色度差）との比率を求めることにより、苔の厚さを定量化することもできる。
【００６５】
（苔の有無について）
苔の有無は、苔の厚さに基づいて（苔の厚さが閾値以上か否かに基づいて）判断できる。したがって、上記と同様に、舌の中央領域Ｒ２におけるＲの比率（Ｒ／（Ｒ＋Ｇ＋Ｂ））またはＧの比率（Ｇ／（Ｒ＋Ｇ＋Ｂ））を求めることにより、苔の有無についての情報を定量化し、抽出することができる。すなわち、上記のＲ比率またはＧ比率が、苔の有無についての情報を示す特徴量となる。
【００６６】
（苔の地図状分布について）
苔の地図状分布とは、苔が部分的に欠落し、その欠落した部分が点在する状態を指す。図７は、舌の中央領域Ｒ２におけるＧの度数分布を、苔の地図状分布がない場合と、地図状分布がある場合とでそれぞれ示している。苔の地図状分布がない場合、苔が一様に存在しているため、図７の上段の図で示すように、Ｇの度数分布としては、正規分布に近い分布（極大が１つとなる分布）が得られる。
【００６７】
一方、地図状分布がある場合、苔の部分的な欠落によって、下地となる舌の色（Ｒ成分）が増え、Ｇ成分が少なくなる影響により、Ｇの度数分布としては、図７の下段の図で示すように、極大が２つとなるような分布が得られる。したがって、中央領域Ｒ２におけるＧの度数分布の極大の数を検出することにより、苔の地図状分布の有無を判断することができる。なお、Ｇの度数分布の代わりに、Ｂの度数分布や、Ｇ比率（Ｇ／（Ｒ＋Ｇ＋Ｂ））の度数分布を用いても、上記と同様の手法により、苔の地図状分布の有無を判断することができる。したがって、中央領域Ｒ２におけるＧの画像データ、Ｂの画像データ、Ｇ比率は、苔の地図状分布についての情報を示す特徴量であると言える。
【００６８】
（歯痕について）
特徴量抽出部１３は、診断用画像から抽出される舌の輪郭線を近似曲線で近似して、輪郭線と近似曲線との相関度を検出する。近似曲線は、細かい凹凸の無い滑らかな曲線であるため、輪郭線がこの近似曲線に近いほど、滑らかで歯痕が少ないと言える。すなわち、輪郭線と近似曲線との相関度が高いほど歯痕が少なく、相関度が低いほど歯痕が多いことになる。このことから、上記の相関度は、診断用画像から抽出される、歯痕についての情報を示す特徴量であると言える。
【００６９】
判定部１６は、上記相関度に基づいて、歯痕の状態を判定することができる。例えば、相関度が高い場合は、歯痕の状態が軽度（レベル１）であり、相関度が低い場合は、歯痕の状態が重度（レベル３）であり、相関度がその中間の場合は、歯痕の状態が軽度と重度との中間（レベル２）であると判断することができる。
【００７０】
ここで、２者の相関度を表す指標としては、例えば以下の式で表わされる決定係数Ｒ2を用いることができる。
Ｒ2＝１−｛（Σ（ｙｉ−ｆｉ）2）／（Σ（ｙｉ−Ｙ）2）｝
ただし、
ｉ  ：ｘｙ平面上で、輪郭線または近似曲線の一端部のｘ座標をｊとし、
他端部のｘ座標をｋとしたときの、ｊからｋまでのいずれかの値
ｙｉ：ｘｙ平面上で、輪郭線上の点のｘ座標ｉにおけるｙ座標の値
ｆｉ：ｘｙ平面上で、近似曲線上の点のｘ座標ｉにおけるｙ座標の値
Ｙ  ：輪郭線上の全ての点についてのｙｉの平均値
である。なお、ｉ，ｊ，ｋは、いずれも整数であり、ｊ＜ｋであり、ｊ≦ｉ≦ｋである。また、Σ（ｙｉ−ｆｉ）2は、ｉをｊからｋまで変化させたときの（ｙｉ−ｆｉ）2の総和を指し、Σ（ｙｉ−Ｙ）2は、ｉをｊからｋまで変化させたときの（ｙｉ−Ｙ）2の総和を指す。
【００７１】
図８は、舌の輪郭線（実線参照）およびその近似曲線（破線参照）と、近似曲線を表す多項式と、決定係数Ｒ2とを示している。近似曲線は、最小二乗法によって求められ、以下の多項式で表されている。このときの決定係数Ｒ2は、０．９９４２である。なお、同図の近似曲線の係数において、「Ｅ−ｎ」の表記は、×１０-nであることを示す。
ｙ＝５×１０-7・ｘ4＋６×１０-6・ｘ3＋２×１０-3・ｘ2＋６．２９×１０-2・ｘ＋２１．２１３
【００７２】
歯痕が重度である（輪郭線の凹凸が大きい）Ａ部においても、歯痕が軽度である（輪郭線の凹凸が小さい）Ｂ部においても、輪郭線と近似曲線との差が決定係数Ｒ2に反映される。したがって、決定係数Ｒ2に基づいて歯痕を検出する手法を用いると、仮に、歯痕が軽度の歯痕のみである場合でも、決定係数Ｒ2に基づいて、その軽度の歯痕を検出することが可能となり、歯痕の検出精度を向上させることができる。
【００７３】
（湿り気について）
図９は、舌の撮影画像と舌の断面形状とを示している。舌を撮影する際、舌は口腔から前方に突き出される。その突き出された舌の上唇側の表面を撮像部３で撮影するため、舌はその上唇側の表面が撮像部３側に凸になるように湾曲している（Ｃ−Ｃ’断面参照）。なお、必要に応じて、仕様書やマニュアルに舌の出し方を規定しておき、舌を適切な撮影位置に案内するようにしてもよい。
【００７４】
図３で示した照明部２および撮像部３の配置で舌を撮影すると、舌の上半分に正反射領域が発生する（照明部２が撮影光軸Ｘに対して上方にあるため）。一方、舌の左右方向については、舌の中心と左右端がともに凹んでＭ字状に湾曲している（Ｄ−Ｄ’断面参照）。このような断面形状は、舌の上部から下部にかけてほぼ同様である。さらに、舌の中央部Ｅには、亀裂による模様が入っていることがある。したがって、ここでは、照明時の角度ａを１５度に設定し、舌の上半分で、かつ、左右方向の中央部および両端部を避けた残りの領域を、光沢度の検出に適した検出領域として設定する。
【００７５】
より具体的には、特徴量抽出部１３は、舌の輪郭線Ｑから、舌の上下端および左右端を検出して、舌の上下の長さＨおよび左右の幅Ｗを検出し、図１０に示す位置関係となるように、舌の輪郭線Ｑを基準にして光沢度の検出領域Ｒ４・Ｒ５を設定している。
【００７６】
図１１は、舌の分光分布を示すグラフである。舌は粘膜構造であり、表皮が無いため、舌の色としては、血液の色が現れる。血液は、Ｒ成分（波長６００ｎｍ〜７００ｎｍ）が多く、Ｂ成分（波長５００ｎｍ以下）が少ない。また、舌の色が淡い場合には、Ｒ成分の比率が下がり、濃い場合にはＲ成分の比率が上がる。
【００７７】
一方、苔は角化した乳頭細胞で形成されており、白色から黄色を呈する。そして、苔が薄い場合には、下地となる舌の色が現れるため、同図のようにＲ成分の比率が高くなり、苔が白く、濃い場合には、Ｇ成分（波長５００ｎｍ〜６００ｎｍ）の比率が上がる。
【００７８】
生体の体調や個人差により、舌と苔の色は上記のように変化するが、Ｂ成分の変化は少ない。そこで、本実施形態では、舌の撮影画像から得られるＢの画像データに基づき、以下のようにして舌の表面の光沢度を検出する。
【００７９】
まず、特徴量抽出部１３は、撮影画像の検出領域Ｒ４・Ｒ５の各画素からＢの画像データを抽出して、その度数分布を作成する。図１２は、抽出したＢの画像データの度数分布を模式的に示している。なお、図１２の横軸は、Ｂの画素値（画像データ）を示し、縦軸は度数（画素数）を示している。ただし、ここでの説明を簡略化するため、画素値は、１から１００までの値とし、画素値が大きいほど明るいことを示す。
【００８０】
次に、特徴量抽出部１３は、上記の度数分布より、最大度数Ｎｐに対応する画素値Ｄｐを求め（図１２の例ではＤｐ＝７０）、この画素値Ｄｐを１．２倍した値を閾値Ｍとし（図１２の例ではＭ＝８４）、閾値Ｍから画像データの最大値（最大画素値Ｄｍ＝１００）までの区間における度数の総和を上位画素数として積算する。なお、画素値Ｄｐを求めるにあたって、度数の変化を連続的に示す関数を求めてこれをスムージングし、ノイズを除去してから、最大度数Ｎｐに対応する画素値Ｄｐを求めるようにしてもよい。また、スムージング後の関数を所定の区間で積分して上位画素数を求めるようにしてもよい。
【００８１】
ここで、Ｂの画像データの度数分布は、撮影時に舌の表面での正反射がない場合、正規分布に近い分布（第１の群Ｇ１）のみとなるが、正反射がある場合、第１の群Ｇ１に、高画素値側で度数が大きい分布（第２の群Ｇ２）が加算されたものとなる。しかも、Ｂの画像データは、上述のように生体の体調や個人差による変化が少ないため、第１の群Ｇ１の幅（第１の群Ｇ１の最小画素値から最大画素値までの幅）は、他のＲやＧの画像データの度数分布（正規分布）に比べて狭くなる。その結果、第１の群Ｇ１と第２の群Ｇ２との境界（度数が減少から増加に転じるような極小となる部分）が、度数が最大となる画像データの値（画素値Ｄｐ）と画像データの最大値（画素値Ｄｍ）との間で明確に現れ、第１の群Ｇ１と第２の群Ｇ２とを容易に識別することが可能となる。光沢度を検出するためには、光沢成分（正反射成分）を含まない第１の群Ｇ１ではなく、光沢成分を表す第２の群Ｇ２に基づいて光沢度を検出することが望ましい。
【００８２】
そこで、特徴量抽出部１３は、画素値Ｄｐよりも大きい閾値Ｍを設定し、この閾値Ｍと画素値Ｄｍとの間の度数の総和を上位画素数として求めることにより、第２の群Ｇ２の度数の総和に近い値を得るようにしている。
【００８３】
特に、Ｂの画像データの度数分布においては、第１の群Ｇ１と第２の群Ｇ２との境界が、画素値Ｄｐの１．１〜１．３倍の範囲内で現れることが実験的にわかっている。このため、本実施形態では、特徴量抽出部１３は、上記の閾値Ｍを、画素値Ｄｐの１．１〜１．３倍の範囲内（図１２の例では、１．２Ｄｐ＝８４）に設定し、閾値Ｍと画素値Ｄｍとの間の度数の総和を上位画素数として求めるようにしている。このことから、上記の上位画素数は、診断用画像から抽出される、舌の湿り気（光沢度）についての情報を示す特徴量であると言える。
【００８４】
舌が乾燥している（光沢度が低い）症例では、上位画素数が少ないことがわかっており、舌が湿潤である（光沢度が高い）症例では、上位画素数が多いことがわかっている。したがって、判定部１６は、上位画素数に基づいて、光沢度を例えばレベル１（光沢度高い）〜レベル３（光沢度低い）に数値化して検出することができる。
【００８５】
（裂紋（亀裂）について）
図１３は、表面に亀裂がある舌の撮影画像を示している。舌を撮影する際、舌は口腔から前方に突き出される。その突き出された舌の上唇側の表面を撮像部３で撮影する。一般に、舌表面の亀裂は、舌の中心付近で多く発生するため、本実施形態では、撮影画像における舌の上下左右の中心部（上下左右方向の中心を含む領域）を、亀裂の検出に適した検出領域として設定している。
【００８６】
より具体的には、特徴量抽出部１３は、求めた舌の輪郭線Ｑから、舌の上下端および左右端を検出して、舌の上下の長さ（縦寸法）Ｈおよび左右の幅（横寸法）Ｗを検出し、図１３に示した寸法関係で定まる、縦Ｈ／４、横Ｗ／４の舌の中心領域を亀裂の検出領域Ｆとして設定している。
【００８７】
舌の表面に亀裂があると、亀裂がない場合に比べて、舌の下地がより現れるため、下地を構成する画素の画像データの取り得る値の範囲が、ＲＧＢともに広がる。このため、撮影画像の画像データの度数分布を作成したときに、度数分布の幅が広がる。特に、下地は血液の色を強く表しているため、血液の色に多く含まれるＲやＢについては、亀裂がない場合に比べて度数分布の幅が顕著に広がる。このような傾向は、舌表面の苔の厚さや亀裂の長さに関係なく現れることがわかっている。
【００８８】
そこで、本実施形態では、特徴量抽出部１３は、舌の撮影画像（特に上述した検出領域Ｆの画像）から、例えばＢの画像データの度数分布を作成するとともに、当該度数分布の広がりを示す指標として、画像データのバラツキを示す標準偏差σを演算により取得するようにしている。標準偏差σは、画像データの値が、Ｎ個の値ｘ1、ｘ2、・・・ｘNをとるとき、以下の式で示される。
【００８９】
【数１】
2016198140.tif 000003
【００９０】
図１４は、特徴量抽出部１３が作成したＢの画像データの度数分布を模式的に示したものであり、上段の度数分布は舌表面に亀裂がない場合を示し、下段の度数分布は舌表面に亀裂がある場合を示している。なお、これらの度数分布の横軸は、Ｂの画素値（画像データ）を示し、縦軸は度数（画素数）を示している。画素値は０から２５５までの値とし、画素値が大きいほど明るいことを示す。
【００９１】
上段の度数分布における標準偏差σ１を求めると、σ１＝１３．１８であった。これに対して、下段の度数分布における標準偏差σ２を求めると、σ２＝２６．７８であった。このことから、舌表面に亀裂があると、亀裂がない場合に比べて標準偏差σが大きくなり、度数分布の幅が広がることがわかる。ちなみに、上段の度数分布における画素値の平均値ｍ１を求めると、ｍ１＝１７７．７１であり、下段の度数分布における画素値の平均値ｍ２を求めると、ｍ２＝１１２．７５であった。以上のことから、上記の標準偏差は、診断用画像から抽出される、裂紋（亀裂）についての情報を示す特徴量であると言える。
【００９２】
亀裂の多い症例では、上記度数分布の標準偏差が大きく、亀裂の少ない症例では、上記度数分布の標準偏差が小さいことがわかっている。したがって、判定部１６は、上記度数分布の標準偏差に基づいて、亀裂を例えばレベル１（亀裂多い）〜レベル３（亀裂少ない）に数値化して検出することができる。なお、上記の例では、Ｂの画像データの度数分布を用いて亀裂を検出しているが、他のＲやＧの画像データの度数分布を用いても亀裂を検出することは可能である。
【００９３】
（苔の滑らかさについて）
苔の滑らかさは、乳頭に対する付着物の量によって変化する。すなわち、付着物が少ない場合には、苔が薄く、乳頭が独立して見えるために、ざらついた感じとなる。一方、付着物が多い場合には、苔が厚く、乳頭が舌の表面を覆うために、べったりとした感じとなる。したがって、乳頭と下地とに関する画素数の比率を検出することにより、苔の滑らかさを検出することができる。
【００９４】
具体的には、特徴量抽出部１３は、苔が付着する舌の中央付近の領域（例えば図６の中央の領域Ｒ２）において、乳頭の画素と下地の画素とを色（例えばＲ）の閾値によって判別し、乳頭と下地との画素数の比率を算出する。下地の比率が高い場合には、苔が薄くてざらついていると判断でき、乳頭の比率が高い場合には、苔が厚くてべったりとしていると判断できる。このことから、上記の画素数の比率は、診断用画像から抽出される、苔の滑らかさについての情報を示す特徴量であると言える。上記画素数の比率の範囲を、苔の滑らかさについての３段階に対応付けておけば、判定部１６は、特徴量抽出部１３によって抽出した画素数の比率に基づいて、苔の滑らかさの程度を判定することができる。
【００９５】
（舌の厚さについて）
図１５は、照明部２による照明下で、撮像部３にて舌の表面を撮影したときに得られる画像データの分布であって、舌表面の上下方向のほぼ中心を通る水平方向における撮影画像のＲＧＢの画像データの分布を示している。ただし、上段の分布は、舌が薄い場合のものであり、下段の分布は、舌が厚い場合のものである。なお、実線はＲの画像データの分布を示し、１点鎖線はＧの画像データの分布を示し、破線はＢの画像データの分布を示している。
【００９６】
舌が厚い場合、舌はその端部から中央部にかけて上に凸となる部分を含む。このような舌表面の凸部は、照明部２に近づいて明るく照明されるため、舌の撮影画像において凸部に対応する部分では、画像データの値が増大する。逆に、舌が薄い場合、舌の表面は、端部から中央部にかけてほぼ平坦か、下に凹となる部分を含む。舌表面の平坦部や凹部は、上記の凸部に比べて照明部２から遠ざかるため、照明されても凸部よりも暗い。このため、舌の撮影画像において、表面の平坦部や凹部に対応する部分では、画像データの値が凸部に対応する部分に比べて減少する。このような傾向は、ＲＧＢのいずれの画像データについても同様である。
【００９７】
そこで、特徴量抽出部１３が、照明部２の照明下で得られる舌の撮影画像におけるＲＧＢのいずれかの色の水平方向の画像データの分布（単色の分布）を作成すると、判定部１６は、上記画像データの分布の凹凸に基づいて、舌が厚いか、薄いかの検出を行うことが可能となる。つまり、舌の撮影画像に含まれるＲＧＢのいずれかの色の画像データの水平方向の分布を、舌表面の凹凸の度合いを示すデータ分布として用い、凹凸の度合いを例えばレベル１（舌が厚い）〜レベル３（舌が薄い）に数値化することで、舌厚の検出を精度よく行うことができる。なお、データ分布の凹凸の度合いは、例えばデータ分布の中央部を近似する近似曲線（例えば２次式）を最小二乗法等で算出し、近似曲線の２次の係数およびその絶対値を見ることで判別することができる。ちなみに、近似曲線の２次の係数が正であれば凹形状であり、負であれば凸形状である。
【００９８】
なお、上記画像データの分布として、Ｒの成分比（Ｒ／（Ｒ＋Ｇ＋Ｂ））、Ｇの成分比（Ｇ／（Ｒ＋Ｇ＋Ｂ））、Ｂの成分比（Ｂ／（Ｒ＋Ｇ＋Ｂ））を示すデータの分布を用いても、上記と同様に、舌厚を精度よく検出することができる。
【００９９】
以上のことから、上記したＲＧＢのいずれかの色または成分比についての水平方向のデータ（分布）は、診断用画像から抽出される、舌の厚さについての情報を示す特徴量であると言える。
【０１００】
〔３．生体の特定方法について〕
次に、生体特定部１５による生体の特定方法（個人認証の方法）について説明する。
【０１０１】
（ユークリッド距離を用いる方法）
図１６は、記憶部６に記憶された登録者（事前登録者）、および認証対象者の診断項目についてのデータ（識別情報、特徴量）を２次元座標平面上にプロットしたものである。なお、ここでは、説明の理解がしやすいように、診断項目として舌の歯痕と苔の厚さとを考え、横軸に歯痕をとり、縦軸に苔の厚さをとっている。
【０１０２】
また、各診断項目についてのデータ分布の偏りを排除し、認証精度（識別精度）を向上させるため、ここでは、各診断項目についてのデータを０から１の範囲に正規化している。正規化の一例としては、各診断項目についてのデータ分布の標準偏差σ（数１式参照）を求め、その最大値を１に換算している。正規化後の標準偏差σ’は、正規化前の標準偏差σと、標準偏差の最大値σmax とを用いて、以下の式で表される。
【０１０３】
【数２】
2016198140.tif 000004
【０１０４】
図１６において、事前登録者のデータを＊印で示し、認証対象者のデータを黒丸で示す。生体特定部１５は、認証対象者の特徴量に応じて決まる点（黒丸で示す第１の点）と、識別情報に応じて決まる点（＊印で示す第２の点）との距離Ｄを、全ての登録者について算出し、その距離Ｄが閾値以下で、かつ、最小となるような事前登録者を探す。ちなみに、２次元の場合、距離Ｄは、以下の式で表される。なお、式中、ＸｓおよびＹｓは、認証対象者のＸＹの各座標値を示し、ＸｎおよびＹｎは事前登録者のＸＹの各座標値を示す。
【０１０５】
【数３】
2016198140.tif 000005
【０１０６】
生体特定部１５は、距離Ｄが閾値以下であり、かつ、最小となる事前登録者がいれば、認証対象者がその事前登録者（図１６ではＮｏ．４）と一致していると判定する。一方、距離Ｄが閾値以上であれば、認証対象者が一致する事前登録者はないと判定することができる。なお、上記閾値の設定は、事前登録者の数、特徴量（診断項目）の種類と数などにより異なるが、本実施形態では閾値として例えば０．１を考えている。
【０１０７】
上記の例では、２次元座標での距離Ｄを求めて生体を特定する方法について説明したが、１次元（診断項目の数が１個）であっても、３次元以上（診断項目の数が３個以上）であっても、上記と同様の手法で生体を特定することは可能である。つまり、直交座標系において、ｐ＝（ｐ１，ｐ２，・・・，ｐｎ）およびｑ＝（ｑ１，ｑ２，・・・，ｑｎ）がｎ次元ユークリッド空間内の２点とすれば、ｐｑ間の距離Ｄは、以下の式で表される。なお、ｐ１〜ｐｎは、認証対象者の診断項目ごとの特徴量に対応し、ｑ１〜ｑｎは、事前登録者の診断項目ごとの識別情報に対応するものとする。
【０１０８】
【数４】
2016198140.tif 000006
【０１０９】
上記の式によって距離Ｄを算出することにより、その距離Ｄが閾値以下でかつ最小となる識別情報に対応する生体（事前登録者）を探して、生体を特定することができる。
【０１１０】
特に、生体特定部１５は、上述したように、複数の診断項目についての複数の特徴量と、同じ複数の診断項目についての複数の識別情報とに基づいて、生体を特定することにより、１個の特徴量と、同じ診断項目についての１個の識別情報とに基づいて、生体を特定する場合に比べて、生体の特定の精度を向上させることができる。舌診では、診断項目が上述した１０個であるため（図５参照）、最大で１０次元まで拡大して距離Ｄを算出し、生体を特定することが可能である。
【０１１１】
なお、以上では、各診断項目についてのデータ（特徴量、識別情報）を０から１の範囲に正規化して距離Ｄを算出する例について説明したが、正規化は必ずしも必要ではない。例えば、データの分布が正規分布に近く、分布の偏りが小さい場合には、正規化せずに座標空間上での距離Ｄを算出し、算出した距離Ｄに基づいて生体の特定を行うことが可能である。
【０１１２】
ところで、上述した距離Ｄの算出にあたって、各診断項目に重みをつけて距離Ｄを算出してもよい。例えば、舌の厚さ、歯痕、苔の厚さ、苔の地図状分布などは、個人差が大きく、日常の変化も少ない。このため、これらの診断項目についての情報を用いると、識別精度が高くなる。一方、舌の色、裂紋、苔の色、苔の滑らかさなどは、個人差が小さく、日常の変化もあるため、これらの診断項目についての情報を用いても、識別精度が低い。
【０１１３】
そこで、距離Ｄの算出にあたって、識別精度が高い診断項目についての情報の寄与度を大きくし、識別精度が低い診断項目についての情報の寄与度を小さくすると、総合的な識別精度が向上する。例えば図１６の例では、以下に示すように、距離Ｄの計算式において、診断項目ごとに重みの係数を掛け算すればよい。ここで、αは、舌の歯痕についての重み係数であり、βは、苔の厚さについての重み係数である。
【０１１４】
【数５】
2016198140.tif 000007
【０１１５】
（マハラノビス距離を用いる方法）
以上では、距離Ｄとして、ユークリッド距離を用いる例について説明したが、マハラノビス距離を用いてもよい。マハラノビス距離とは、分散と変数間の相関とを考慮して計算される距離の尺度である。母集団の個数をｎ、診断項目ごとのデータの平均値をｍ、標準偏差をσ、診断項目相互の相関を表す相関行列に対する逆行列の要素をａｉｊとし、診断項目の数をｋとすると、ｍ１、ｍ２、・・・ｍｋの平均値ベクトルが、母集団の作る分布（空間）の原点となる。ここで標準偏差のベクトルをσ１、σ２、・・・σｋ、診断項目ごとの特徴量をｘ１、ｘ２、・・・ｘｋとすると、マハラノビス距離Ｄは、次の式により求められる。
【０１１６】
【数６】
2016198140.tif 000008
【０１１７】
特に、変数が２つ（Ｘｉ、Ｘｊ）の場合、Ｘｉ＝（ｘｉ−ｍｉ）／σｉとおくと、上記のマハラノビス距離Ｄは、以下の式で表される。なお、式中のｒは、相関係数（２変数の相関の強さ）を指す。
【０１１８】
【数７】
2016198140.tif 000009
【０１１９】
図１７は、変数が２つ（Ｘｉ、Ｘｊ）で、両者に正の相関（Ｘｉが増加するとＸｊも増加する関係）がある場合の距離の分布を示している。生体特定部１５は、認証対象者の複数の特徴量（Ｘｉ、Ｘｊ）に応じて決まる点の第１のマハラノビス距離（原点からの距離）を算出するとともに、事前登録者の複数の識別情報（Ｘｉ、Ｘｊ）に応じて決まる点の第２のマハラノビス距離（原点からの距離）を個々の事前登録者ごとに算出し、第２のマハラノビス距離が第１のマハラノビス距離に最も近い事前登録者を、認証対象者と判断する。
【０１２０】
このように、マハラノビス距離を用いることにより、複数の特徴量の各診断項目間での相関を考慮した生体の特定が可能となり、生体の特定の精度をさらに向上させることができる。
【０１２１】
なお、以上では、変数が２つの場合について説明したが、変数が３つ以上の多変数であっても上記と同様に考えることができる。したがって、診断項目の数をｎとし、ｎを２以上の整数としたとき、生体特定部１５は、ｎ次元空間において、複数の診断項目についてのｎ個の特徴量に応じて決まる点の原点からの距離を示す第１のマハラノビス距離を算出するとともに、複数の診断項目についてのｎ個の識別情報に応じて決まる点の原点からの距離を示す第２のマハラノビス距離を、記憶部６に記憶された個々の生体について算出し、第２のマハラノビス距離が第１のマハラノビス距離に最も近くなるような識別情報に対応する生体と、撮像部３にて撮影された生体とが一致すると判断する、と言うことができる。
【０１２２】
〔４．動作フロー〕
次に、本実施形態の器官画像撮影装置１の動作について説明する。
【０１２３】
（事前登録）
図１８は、識別情報を記憶部６に事前に登録するときの動作の流れを示している。まず、操作部５のＯＫボタン５ａの押圧による撮影指示を受け付けると、照明制御部９は照明部２を点灯させ（Ｓ１）、表示制御部１１は、図１９に示すように、舌の撮影位置を規定するための枠線Ｐを表示部４に表示させる（Ｓ２）。なお、枠線Ｐは、舌の理想的な形を模して、上部が左右方向に伸びる直線状の線（破線）で構成され、その直線状の線の下方が曲線状（楕円の半分）の線（破線）で構成されているが、この形状に限定われるわけではない。
【０１２４】
続いて、撮像制御部１０の制御により、撮像部３は、事前登録者の舌を撮影して、識別用画像を取得する（Ｓ３）。このときの撮影は、２段階で行われる。すなわち、まず、撮像部３は舌の予備撮影を行い、上記した枠線Ｐとともに、使用者の舌の撮影画像をリアルタイムで表示部４に動画表示する。これにより、舌の位置や角度、舌の出し方などの構図の確認を使用者に促すことができる。事前登録者は、枠線Ｐ内に収まるように舌の位置を調整することにより、舌の撮影位置を適切にすることができる。その後、撮像部３は、舌の本撮影を行い、適切な位置で撮影された舌の撮影画像を識別用画像として取得する。
【０１２５】
撮像部３が識別用画像として取得すると、特徴量抽出部１３は、識別用画像から舌の輪郭線を抽出するとともに、その輪郭線をもとに、各診断項目ごとに識別情報を抽出するための領域を設定し（Ｓ４）、設定した領域から識別情報を抽出する（Ｓ５）。このとき、舌の１０個の診断項目の全てについて識別情報を抽出してもよいし、一部（例えば２〜３個の診断項目）について識別情報を抽出してもよい。なお、識別情報の抽出方法は、上述した特徴量の抽出方法と同様である。抽出した識別情報は、記憶部６に記憶される（Ｓ６）。
【０１２６】
また、例えば医療機関で当該装置を使用する場合においては、記憶部６には、操作部５より入力されたカルテ番号などの個人の管理情報と、上記の識別情報とが対応付けられて記憶される。なお、特徴量抽出部１３が抽出した識別情報を、判定部１６にて複数のレベルに分類（数値化）し、そのレベル（数値）を識別情報とて記憶部６に記憶させてもよい。以上により、識別情報の事前登録が完了する。以上の処理を、複数の生体のそれぞれについて行う。
【０１２７】
（認証および診断）
図２０は、個人認証（生体特定）および診断の流れを示している。まず、操作部５のＯＫボタン５ａの押圧による撮影指示を受け付けると、照明制御部９は照明部２を点灯させ（Ｓ１１）、表示制御部１１は、枠線Ｐを表示部４に表示させる（Ｓ１２）。続いて、撮像制御部１０の制御により、撮像部３は、事前登録者の舌を撮影して、診断用画像を取得する（Ｓ１３）。このときの撮影も、事前登録の場合と同様に予備撮影、本撮影の２段階で行われるが、診断用画像の取得のための撮影としては、予備撮影と本撮影とを合わせて１回と考えることができる。
【０１２８】
撮像部３が診断用画像を取得すると、特徴量抽出部１３は、診断用画像から舌の輪郭線を抽出するとともに、その輪郭線をもとに、各診断項目ごとに特徴量を抽出するための領域を設定し（Ｓ１４）、設定した領域から上述の手法で特徴量を抽出する（Ｓ１５）。このとき、特徴量抽出部１３は、舌の１０個の診断項目の全てについて特徴量を抽出してもよいし、そのうちの一部（例えば２〜３個の診断項目）について特徴量を抽出してもよい。その後、生体特定部１５は、抽出された特徴量と、記憶部６に記憶される個々の生体ごとの識別情報（特徴量と同じ診断項目についてのもの）との差に相当する距離（例えばユークリッド距離）を、前述の方法によって個々の生体ごとに算出し、算出した距離の中で最短である（特徴量に最も近い）識別情報を求める（Ｓ１６）。そして、生体特定部１５は、最短距離が閾値を超えているか否かを判断する（Ｓ１７）。
【０１２９】
Ｓ１７にて、最短距離が閾値を超えている場合、生体特定部１５は、認証対象者と一致する事前登録者はないと判断し（Ｓ１８）、認証不可である旨を表示部４に表示させて（Ｓ１９）、一連の処理を終了する。なお、Ｓ１９では、認証対象者に事前登録を促すメッセージを表示部４に表示させてもよい。
【０１３０】
一方、Ｓ１７にて、最短距離が閾値以下である場合、生体特定部１５は、最短距離となる識別情報に対応する事前登録者と、認証対象者とが一致すると判断し（Ｓ２０）、以降の診断の処理に入る。
【０１３１】
すなわち、特徴量抽出部１３は、Ｓ１３で取得した診断用画像から、舌の輪郭線を抽出し、その輪郭線をもとに、診断のための特徴量を抽出する領域を設定する（Ｓ２１）。そして、特徴量抽出部１３は、上記領域から、診断項目ごとの特徴量を上述の手法で抽出する（Ｓ２２）。なお、Ｓ１５にて、抽出した特徴量をそのまま診断に用いることもできる。この場合、上記のＳ２１、Ｓ２２の処理を省略することができる。また、Ｓ１５では、２〜３個の診断項目についてのみ特徴量を抽出し、抽出した特徴量以外の診断項目についてのみ、Ｓ２２にて特徴量を抽出するようにしてもよい。
【０１３２】
続いて、判定部１６は、抽出した特徴量（Ｓ１５、Ｓ２２の少なくとも一方で抽出した特徴量）を、複数のレベルに分類（数値化）する（Ｓ２３）。例えば、Ｓ２２にて、舌の色について特徴量が抽出された場合、その特徴量を図５の例にならって４段階の数値（レベル１〜レベル４）に分類し、舌の厚さについて特徴量が抽出された場合、その特徴量を図５の例にならって３段階の数値（レベル１〜レベル３）に分類する。
【０１３３】
そして、判定部１６は、分類した情報（レベル）に基づいて、認証対象者の健康度を判断する（Ｓ２４）。例えば、舌の色について、「レベル３」であれば、健康度としては、正常（淡紅色で血流がよく、健康である）と判断する。また、例えば、舌の厚さについて、「レベル１」であれば、健康度としては異常（舌が薄く、血流の不足や水分不足が生じている）と判断する。
【０１３４】
判定部１６にて数値化された情報、健康度の診断結果、撮影日時、診断日時等の情報は、表示部４に表示され、記憶部６に記憶される（Ｓ２５）。表示部４での表示により、認証対象者は各診断項目についての数値化情報または健康度を把握することができる。なお、Ｓ２４での処理を省略し（当該装置にて健康度の判断を行わず）、Ｓ２５にて、判定部１６が数値化した情報を外部に転送して外部にて使用者の健康度を判断し、その結果を当該装置が受信して表示部４にて表示するようにしてもよい。
【０１３５】
最後に、カルテに相当する記憶部６のテーブルに、認証対象者の健康度の診断結果（舌の色等についての情報を含む）と、その他の情報（例えば脈、血圧、体温など）とが生体ごとに統合される（Ｓ２６）。このような診断情報の統合処理は、舌以外についての問診や検査も行う医療機関において必要となる処理であるが、舌だけで健康度の診断を行う場合は、Ｓ２６の処理を省略することも可能である。
【０１３６】
以上のように、健康度の診断に用いる特徴量を、生体の特定用の情報としても用いるため、撮像部３にて診断用画像を１回取得すれば、その診断用画像から特徴量を抽出して、生体の特定と、健康度の診断とを行うことができる。したがって、生体の特定と健康度の診断とで、別々の画像を取得する必要がなく、生体の特定後に、診断のための画像取得、すなわち、撮像部３による再撮影を行う必要がなくなる。その結果、認証対象者に対して、生体特定後の再撮影による煩わしさを与えることなく、健康度の診断支援を確実に行うことができる。
【０１３７】
また、診断用画像を取得する撮像部３は１つだけで済み、診断用とは別に、生体を特定する専用の特殊な撮像装置を設ける必要はない。これにより、低コストで容易に生体の特定を行うことができる。
【０１３８】
また、記憶部６に記憶される識別情報は、予め、撮像部３によって個々の生体の器官を撮影して取得された識別用画像から、特徴量抽出部１３によって抽出された情報である。したがって、外部の装置から通信によって識別情報を取得したり、記録媒体を介して識別情報を取得する必要がなくなるため、記憶部６に記憶された識別情報を用いて、生体の特定の処理を迅速に行うことができる。また、既存の撮像部３および特徴量抽出部１３を用いて識別情報を取得し、記憶部６に記憶されるため、既存の構成の有効利用にもなる。
【０１３９】
また、当該装置は、判定部１６を備えているため、判定部１６によって健康度を判定する構成、つまり、当該装置にて健康度を判定する構成において、上述した本実施形態の効果を得ることができる。
【０１４０】
また、生体の特定（識別）において、従来のように、顔の情報を用いる場合、個々の生体について顔の画像を記憶部に記憶させておく必要がある。しかし、顔については他人が見ると、その顔が誰の顔であるか識別できるため、顔の情報を保存するのに抵抗感が生じる。また、顔の情報を記憶部に記憶させても、化粧や日焼けなどの外的要因によって顔の情報が変化するため、生体の識別精度が低下するおそれがある。また、指紋を用いて生体を識別する場合、指紋は犯罪履歴に用いられるため、保存に抵抗感がある。
【０１４１】
この点、本実施形態では、生体の特定のために舌の情報（特徴量）を用いている。舌は、日常生活でほとんど表に現れないため、舌の画像の保存に抵抗感が生じることはなく、日焼けなどの外的要因による識別精度の低下の心配もない。
【０１４２】
また、ＲＧＢの光を含む可視光を使って器官を撮影し、画像を取得するため、赤外線やＸ線を照射あるいは検出する装置を用いる構成に比べて低コストである。さらに、診断用画像を用いて生体を識別するため、カード読み取り装置など、生体を識別するための機器の追加も不要であり、コストもかからない。また、個々の生体の識別番号などの入力も不要で、手間もかかず、入力ミスなどのヒューマンエラーもなくなる。さらに、カルテ、問診票、過去の記録などの他のデータとの照合ができるため、便利である。
【０１４３】
〔５．プログラムについて〕
以上で説明した器官画像撮影装置１は、例えば、所定のプログラム（アプリケーションソフトウェア）をインストールしたスマートフォンのような多機能携帯端末（コンピュータ）で構成することができる。上記プログラムをコンピュータ（例えばＣＰＵとしての全体制御部２０）が読み取って実行することにより、器官画像撮影装置１における上述した各処理を実現することができる。このようなプログラムは、例えばネットワークを介してダウンロードすることによって取得され、記憶部６に記憶される。
【０１４４】
〔６．その他〕
以上では、生体が人間である場合について説明したが、人間以外の動物であってもよい。例えば、ペットや家畜などの動物であっても、本実施形態の手法を適用して、生体の特定（認証）および診断が可能である。この場合、個体の識別が難しい動物を適切に識別して診断することができる。
【０１４５】
以上では、撮影対象である生体の器官が舌である場合について説明したが、対象器官は舌には限定されない。例えば、生体の唇や瞼などの粘膜組織でも、本実施形態の手法を適用して生体を特定し、識別することが可能である。また、眼の下の色や形により、血流や水分代謝の良否を診断することができる。さらに、胃や腸などの消化器官の内視鏡画像を診断用画像として用いることによっても、識別と診断とが可能である。また、体内器官のＸ線画像や超音波画像を診断用画像として用いることによっても、識別と診断とが可能である。また、例えば医療機関においては、診断用画像を用いた生体の特定により、カルテへの番号入力ミス（例えば特定した生体とカルテに記載されている生体との不一致）などを検証することもできる。
【産業上の利用可能性】
【０１４６】
本発明は、生体の器官を撮影し、健康度の診断に必要な情報を抽出する装置に利用可能である。
【符号の説明】
【０１４７】
１      器官画像撮影装置
３      撮像部
６      記憶部
１３      特徴量抽出部
１５      生体特定部
１６      判定部
【図１】
2016198140.tif 000010
【図２】
2016198140.tif 000011
【図３】
2016198140.tif 000012
【図４】
2016198140.tif 000013
【図５】
2016198140.tif 000014
【図６】
2016198140.tif 000015
【図７】
2016198140.tif 000016
【図８】
2016198140.tif 000017
【図９】
2016198140.tif 000018
【図１０】
2016198140.tif 000019
【図１１】
2016198140.tif 000020
【図１２】
2016198140.tif 000021
【図１３】
2016198140.tif 000022
【図１４】
2016198140.tif 000023
【図１５】
2016198140.tif 000024
【図１６】
2016198140.tif 000025
【図１７】
2016198140.tif 000026
【図１８】
2016198140.tif 000027
【図１９】
2016198140.tif 000028
【図２０】
2016198140.tif 000029